(57)【要約】【課題】レジストレーションずれの位置調整方法のうち全体のシフトと回転の調整の際に、その後に行う部分的な位置調整の手間が少なくなるようなＵＩを表示する複数パネルで構成された投影装置を提供すること。【解決手段】光源と、前記光源から発せられた光を色成分毎に画像信号に基づいて変調する複数のパネルと、前記パネル毎に表示画像全体をシフトもしくは回転して位置調整する位置調整手段と、前記位置調整を実行する際に表示するパターンを生成する生成手段と、を備えた投影装置であって、前記生成手段は、光軸から放射状のパターンを表示することを特徴とする構成とした。【選択図】図１
2019045694.tif 000002
【特許請求の範囲】
【請求項１】
光源と、
前記光源から発せられた光を色成分毎に画像信号に基づいて変調する複数のパネルと、
前記パネル毎に表示画像全体をシフトもしくは回転して位置調整する位置調整手段と、
前記位置調整を実行する際に表示するパターンを生成する生成手段と、
を備えた投影装置であって、
前記生成手段は、光軸から放射状のパターンを表示することを特徴とする投影装置。
【請求項２】
前記生成手段は調整基準色のパネルにおける光軸位置に基づきパターンを生成し、調整対象色のパネルに表示するパターンは前記調整基準色のパネルに表示するパターンと同一にすることを特徴とする請求項１に記載の投影装置。
【請求項３】
前記位置調整手段はさらに画像の一部の位置調整を行うことができ、
画像全体をシフトもしくは回転する全体位置調整モードと、画像の一部の位置調整する部分位置調整モードを備え、
全体位置調整モードと部分位置調整モードとでパターンの表示方法を異ならせることを特徴とする請求項１に記載の投影装置。
【請求項４】
前記位置調整手段はさらに画像の一部の位置調整を行うことができ、
画像全体をシフトもしくは回転する全体位置調整モードと、画像の一部の位置調整する部分位置調整モードを備え、
全体位置調整モードと部分位置調整モードとでパターンが異なる場合には、一方のモードのパターン表示時にはもう一方のモードのパターンの階調値を異ならせるもしくはパターンを破線とするもしくはパターンを点滅として合成したパターンを表示することを特徴とする請求項３に記載の投影装置。
【発明の詳細な説明】
【技術分野】
【０００１】
本発明は、複数パネルで構成された投影装置に関し、特にレジストレーションずれ調整に関するものである。
【背景技術】
【０００２】
従来、３板式の液晶プロジェクタではＲ／Ｇ／Ｂの各色のパネルの固着のずれや、光学的な特性である倍率色収差によって、投影面上でＲ／Ｇ／Ｂの各色の画像がずれるレジストレーションずれが発生してしまうという問題があった。この問題に対して、基準信号に対してＲ／Ｇ／Ｂ各色の画像取り込み位置を変更することによって、１画素単位でパネル上の表示位置を変更して位置調整する方法と、変形の画像処理によってＲ／Ｇ／Ｂ各色の１画素以下のずれを有効領域内部で調整する方法がある。
【０００３】
前者の方法は上下左右方向のシフトを行う。表示領域を画素単位でずらすため、画質の劣化がない半面、１画素以下のずれの位置調整はできない。後者の方法は全体をシフトすることに加え、回転方向の補正や倍率色収差の補正を行う。画像処理にて位置調整を行うため、補正後の画素位置である仮想画素位置に隣接する画素間を輝度分配することによって１画素以下の調整をできる半面、Ｒ／Ｇ／Ｂ各色で変形量に応じて画質が劣化する。
【０００４】
これらの調整を組みあわせて位置調整することによって、Ｒ／Ｇ／Ｂ各色のレジストレーションずれをほぼ補正することができる。ただし、レジストレーションずれの調整はユーザーの手動調整で行われることが多く、ユーザビリティの向上が必須である。
【０００５】
特許文献１では、レジずれ調整のＯＳＤ表示方法で、調整対象色については調整点から所定の距離範囲内でＯＳＤを表示させる方法について開示されている。
【０００６】
特許文献２では画像の有効領域の最外郭では調整ポイントを設定せず、その内側のみ調整ポイントを設定し、ＯＳＤを表示する方法について開示されている。変形の画像処理は有効領域よりも外側へは変形できない制限があるため、最外郭部分はそれよりも外側に調整できない。そのため、最外郭部分ではレジストレーションずれを補正できない場合があり、画面全体としてレジストレーションずれの補正が正しく行われたかの確認が困難となっていた。特許文献２は最外郭に調整ポイントを置かないことにより、画面内部に注目し、調整を正しく行えるようにした。
【先行技術文献】
【特許文献】
【０００７】
【特許文献１】特開２０１２−１９９７３４号公報
【特許文献２】特開２００９−３１４４２号公報
【発明の概要】
【発明が解決しようとする課題】
【０００８】
しかしながら、上述の特許文献に開示された従来技術では、画像全体をシフトもしくは回転させるレジストレーションずれの調整方法では、画像のどこに注目して調整すればよいかわからないという課題があった。一般的に、全体のシフトもしくは回転の調整後に倍率色収差の補正のために調整ポイントを選択して移動させる部分的な位置調整を行う。
【０００９】
このとき、投影画像の最外郭に近い部分では光軸からの距離が長く、倍率色収差を原因とするレジストレーションずれが存在しうる。倍率色収差による調整用テストパターンの形状のゆがみがある部分に注目して位置調整をしてしまうと、不要なシフトもしくは回転の調整を行ってしまい、かえって調整の手間を増やしてしまう可能性がある。
【００１０】
このため、できるだけ全体のシフトもしくは回転は、部分調整の手間が少なくなるように調整したい。
【００１１】
そこで、本発明の目的は、レジストレーションずれの位置調整方法のうち全体のシフトと回転の調整の際に、その後に行う部分的な位置調整の手間が少なくなるようなＵＩを表示する複数パネルで構成された投影装置を提供することである。
【課題を解決するための手段】
【００１２】
上記目的を達成するために、本発明は、光源と、前記光源から発せられた光を色成分毎に画像信号に基づいて変調する複数のパネルと、ＯＳＤ信号を出力するＯＳＤ生成手段と、前記パネル毎に表示画像全体をシフトもしくは回転する位置調整手段と、を備えた投影装置であって、前記ＯＳＤ生成手段は、前記位置調整手段にてパネル上の有効領域全体をシフトもしくは回転の補正を行う際には光軸から像高方向に向かう線分のパターンを含むＯＳＤを表示することを特徴とする。
【発明の効果】
【００１３】
本発明によれば、レジストレーションずれの位置調整方法のうち全体のシフトと回転の調整の際に、その後に行う部分的な位置調整の手間が少なくなるようなＵＩを表示する複数パネルで構成された投影装置を提供することができる。
【図面の簡単な説明】
【００１４】
【図１】本発明の投影装置のブロック図。
【図２】レジストレーションずれを説明する図。
【図３】レジストレーションずれ調整の概要を説明する図。
【図４】レジストレーションずれ調整の詳細動作を説明する図。
【図５】画像処理によるレジストレーションずれの位置調整方法の概要を説明する図。
【図６】実施例１の動作を説明するフローチャート。
【図７】実施例１のレジストレーションずれ調整のメニュー画面を説明する図。
【図８（ａ）】本発明のレジストレーションずれ調整で用いるＯＳＤを説明する図（その１）。
【図８（ｂ）】同上図（その２）。
【図８（ｃ）】同上図（その３）。
【図８（ｄ）】同上図（その４）。
【図８（ｅ）】同上図（その５）。
【発明を実施するための形態】
【００１５】
以下に、本発明の好ましい実施の形態を、添付の図面に基づいて詳細に説明する。図１は、本発明の実施形態にかかわる投影装置のブロック図である。
【実施例１】
【００１６】
以下、本発明の第１の実施例による、レジストレーションずれ調整時の好適なＯＳＤ表示について説明する。
【００１７】
レジストレーションずれについて、図２を用いて説明する。レジストレーションずれとは、投影画面上においてＲ／Ｇ／Ｂの各色がずれて正しい画にならない状態を言う。図２（ａ）がＲ／Ｇ／Ｂの各色が正しく重なり、本来の正しい画像であるのに対し、図２（ｂ）はずれが発生して、画が正しく見えない状態である。見た目に解像感がなく、ややボケた印象となる。このため、パネル上の画像取り込み位置のシフトと変形による画像処理によってレジストレーションずれを調整し、図２（ｃ）の状態にすることが求められる。
【００１８】
図２（ｃ）の状態であれば、投影画像としては色がある程度正しく重なり、見た目は図２（ｂ）の状態よりもシャープな印象となる。ただし、各色の画像としては画像処理により隣接画素間で輝度分配されることでぼけるため、調整量が多くなるほど画像は劣化する。図２（ｃ）は図２（ａ）よりも画像は劣化した状態になっている。
【００１９】
本実施例では、レジストレーションずれ調整方法を２つの手段に分けて説明する。第一の位置調整は、図３（ａ）に示すように、画面全体を水平、垂直方向にシフトする調整方法である。図３（ａ）では、調整目標の色３０２に対して、調整対象の色３０１を画面全体で水平方向にシフトして合わせている。第二の位置調整は、図３（ｂ）に示すように、画面全体を回転もしくは画面の一部を自由に調整可能な部分的な調整方法である。
【００２０】
図３（ｂ）の３０３は調整対象の色であり、調整目標の色３０４に対して、回転成分が含まれるため、第一の位置調整では合わせることができない。図３（ｂ）に示すように、ある調整ポイントを選択して、そのポイントを画像処理で移動させてレジストレーションずれを調整することが一般的である。ただし、この方法は調整ポイント数が多いほど時間がかかる上に、第一の位置調整が不十分であると、第二の位置調整の調整工数の増大や第一の位置調整のやり直しにより、ユーザーの手間がかかることが多い。
【００２１】
そこで、本実施例では、第一の位置調整時のＯＳＤの表示方法を、投影画像上の光軸点とＯＳＤのクロスパターンの交点もしくは点パターンが一致するパターンを表示することで、ユーザーのずれ調整を容易にする方法を説明する。
【００２２】
以下、図１を参照して、本発明の第１の実施例による、投影装置１０の基本構成について説明する。本実施例では、投影装置の一例として、透過型液晶パネルを用いたプロジェクタについて説明する。しかし、本発明は、表示デバイスとして透過型液晶パネルを用いたプロジェクタに限らず、ＤＭＤ（Ｄｉｇｉｔａｌ  Ｍｉｃｒｏｍｉｒｒｏｒ  Ｄｅｖｉｃｅ）、ＬＣＯＳ（反射型液晶）パネルなどの表示デバイスを複数用いたどのようなものであっても適用可能である。
【００２３】
本実施形態における投影装置１０の構成を図１（ａ）に表す。入力部１０１は、外部装置より画像を入力するインターフェース群である。例えば、コンポジット、コンポーネント、ＤＶＩ−Ｄ、ＨＤＭＩ（登録商標）などがある。制御部１０２は各部の動作を制御し、例えばマイコン、例えばＣＰＵ等からなる。制御部１０２は、後述の通信部１０５や、操作部１０６から入力された制御信号を受信して、投影装置１０の各動作ブロックを制御する。
【００２４】
画像処理部１０３では入力画像信号が、後述の液晶パネル１０７での表示に適するように信号処理を施す。画像処理部１０３は入力部１０１から入力されてきた画像に対する解像度変換、色補正やレジストレーションずれ調整を行う。詳細は後述する。
【００２５】
液晶駆動部１０４では入力信号に重畳された不図示の同期信号から、液晶パネル１０７を駆動する駆動パルス信号を生成する。液晶駆動部１０４において、ＨもしくはＶの同期信号を基準信号として画像信号の取り込み位置を１クロックもしくは１ライン単位で変更することによって、後述の液晶パネル１０７上で画像の表示位置を画像全体で１画素単位のシフトすることができる。この時の動作は、図４（ａ）と図４（ｂ）に示すとおりである。図４の４０１、４０２、４０３、４０４はそれぞれ画素を示している。４０１は黒（階調値＝０）、４０２が何らかの階調値を持った画素としている。液晶駆動部１０４でレジストレーションずれを調整する場合、１画素単位でシフトするため、図４（ａ）を左に１画素シフトすると図４（ｂ）のようになる。
【００２６】
通信部１０５では、印刷装置、他の投影装置、分配器等の外部機器との通信データを送受信する。なお、通信は有線、無線何れでもでもよい。操作部１０６では、ユーザーの指示を受け付け、制御部１０２に指示信号を送信するものであり、例えば、スイッチやダイヤル、タッチパネルなどからなる。また、操作部１０６は、例えば、リモコンからの信号を受信する信号受信部（赤外線受信部など）で、受信した信号に基づいて所定の指示信号を制御部１０２に送信するものであってもよい。
【００２７】
液晶パネル１０７は複数枚で構成され、液晶パネル１０７上に画像が形成される。本実施例ではＲ／Ｇ／Ｂ毎の３枚構成とする。光源１０８は、液晶パネル１０７に光を供給する。照明光学系１０９は、光源１０８から発せられた光を平行化して光束として出力する。
【００２８】
投影光学系１１０は、光源１０８から発せられた光を液晶パネル１０７に供給することにより得られた光学像を投影画像としてスクリーンに投影する。投影光学系１１０は制御部１０２の指示により、物理的に水平／垂直方向にシフトすることも可能である。投影光学系１１０がシフトすると、光軸が移動し、投影画面は形状を維持したままスクリーン上で水平／垂直に移動することができる。この機能をレンズシフトという。制御部１０２は投影光学系１１０のシフト位置とレンズシフトに伴う液晶パネルに対する光軸位置を不図示のＲＡＭに記憶している。ＲＯＭ１１１は、制御部１０２により使用されるプログラム等のデータを記憶している。
【００２９】
続いて、図１（ｂ）に画像処理部１０３の内部構成を示す。画像処理部１０３に入力された画像は、初めに解像度変換部２０１で処理される。解像度変換部２０１は、入力画像の解像度を所望の解像度へ変換する。本実施例では、液晶パネル１０７の解像度に合わせるように変換する。例えば、液晶パネル１０７の解像度が１９２０×１０８０であり、入力画像の解像度が１２８０×７２０の場合、縦横共に１．５倍に拡大して、１９２０×１０８０へ変換する。
【００３０】
このように液晶パネル１０７の解像度と入力画像の解像度のアスペクト比が同じ場合には単純に拡大すればよい。ただし、例えば入力画像の解像度が１０２４×７６８のようにアスペクト比が液晶パネル１０７と異なる場合には、縦もしくは横の幅の比に合わせてアスペクト比を保持したまま拡大し、画像は中央に配置し、周辺の余った画素については黒とする。
【００３１】
色補正部２０２は、カラーマトリクス変換、クロマ処理、ガンマ処理、色空間変換などの色補正を行う。投影画像が適切な画になるように処理を行う。変形処理部２０３は、入力画像を任意形状に変形する。変形処理部２０３でＲ／Ｇ／Ｂの色毎に画像信号を変形し、フレームメモリ２０４に書き込む。書き込みが完了したら、フレームメモリ２０４から信号を読み出し、変形処理部２０３を経由して変形が施された信号を出力する。なお、変形処理部２０３は、所定の変形式に基づいて変形前後の画素の座標を求め、変形後画像信号を出力する。
【００３２】
本実施例における変形処理部２０３は、以下の動作をする。任意形状に変形する方法として、予め格子点を設定して、格子点を変形後はどの座標に移動させるかを指定し、移動後の格子点間を補間して画像を変形する方法がある。画像内に配置された格子点に対し、ユーザーが操作部１０６を介して任意の座標を指定し、指定した座標は制御部１０２より変形処理部２０３に入力される。格子点内の画素の画素値は、その注目画素の周辺の格子点から補間で求める。
【００３３】
補間方法を、図５を用いて説明する。図５（ａ）は変形前を示し、図５（ｂ）は変形後を示す。補間に用いる格子点をＰ１、Ｐ２、Ｐ３、Ｐ４とする。図５（ａ）の変形前画像の座標Ｓは、格子点Ｐ１を図５（ｂ）のように移動させた場合に、変形後画像の座標Ｄとなる。Ｐ１’は、Ｐ１と座標Ｓを通る直線と、線分Ｐ２−Ｐ４の交点である。変形前画像の座標Ｓの位置は線分Ｐ１−Ｐ１’のα：１−αの位置とし、Ｐ１’の位置は線分Ｐ２−Ｐ４のβ：１−βの位置とすると、変形後画像の座標Ｄも各格子点Ｐ１、Ｐ２、Ｐ３、Ｐ４の座標と各比率とから求まる。このとき、変形後画像の座標Ｄが整数であれば、これをそのまま変形前画像の座標Ｓの画素値としてよい。
【００３４】
しかし、補間で求められる変形後の座標は整数になるとは限らない。その場合は、変形後画像の座標Ｄの周辺画素の画素値を用いて補間することで、変形後画像の座標Ｄの持つ画素値を求める。補間の方法は、バイリニア、バイキュービック、その他の任意の補間方法を用いればよい。この方法で、図４（ａ）を１画素以下で左にシフトした場合、図４（ｃ）に示すようになる。図４（ｃ）の、４０３と４０４の２画素の積分値で４０２相当の色で見えるように輝度分配して調整される。図４（ｃ）の例ではやや輝度重心が４０４側に寄った調整となっている。
【００３５】
変形後画像において変形前画像より小さくなる部分については、パネル上に有効画像領域外が変形により発生するため、その画素値は黒またはユーザーが設定した背景色とする。変形処理部２０３はこのように画像の一部の位置を調整するほか、全格子点の位置情報に同値のオフセットを加えることによって、画像全体をシフトすることも可能である。
【００３６】
変形処理部２０３は、以上の手順で変形後画像の座標の全てについて画素値を求めることで、変形後の画像を作成する。また、変形処理部２０３はＲ／Ｇ／Ｂ各色に対して変形を行う。本機能により、電気的にレジストレーションずれを調整可能となる。
【００３７】
ＯＳＤ生成部２０５は、レジストレーションずれ調整用のＯＳＤを生成する。ＯＳＤ生成部２０５からＯＳＤが出力されている間は、入力画像を画像処理部１０３から出力せず、ＯＳＤが出力される。ＯＳＤはクロスハッチや円形パターンなどが生成可能である。
【００３８】
以下、図６のフローチャートを用いて、本実施例の特徴的な動作について説明する。本実施例では、レジストレーションずれの調整は変形処理部２０３にて行うものとして説明する。
【００３９】
図７のＯＳＤにおいて、ユーザーが操作部１０６より全面調整を選択すると、図６のフローチャートを開始する。図７のＯＳＤで示す全面調整とは、画面全体を調整量に応じて水平方向、垂直方向、回転方向にシフトする機能である。部分調整とは、調整ポイントを格子点状に配置し、その格子点を移動させて部分的に調整する機能である。格子点間は例えば線形補間される。１画素以下の移動では、前述の図４（ｃ）のように輝度分配される。本実施例は、調整色は赤と青を選択するようになっている。
【００４０】
レジストレーションずれの調整時のＯＳＤは、一般的には図８（ａ）のようなＯＳＤを表示することが多い。８０１が調整対象の色のＯＳＤである。ＯＳＤ８０２は調整目標とする色（調整基準色）のＯＳＤである。本実施例では、便宜上ＯＳＤ８０１を細線、ＯＳＤ８０２を太線で描いているが、実際はどちらも同じ画素幅である。また、８０１は曲線で描かれているが、投影面上に映し出された画像として描いているため、投影光学系１１０の倍率色収差の影響で曲線となっている。ＯＳＤ８０１もＯＳＤ８０２もパネル上では直線で表示している。８０３は光軸である。ＯＳＤ８０２にＯＳＤ８０１の位置を調整する。
【００４１】
いずれのＯＳＤも各色の液晶パネル１０７上では同じ画像となっているが、液晶パネル１０７の固着ずれや投影光学系１１０に起因する倍率色収差により、投影面上で相対的にずれた状態になる。また、ＯＳＤ８０１を表示しているパネルが水平方向、垂直方向、θ回転方向（パネル平面をＸ，Ｙ平面として、ヨー方向）にずれた状態を示している。図８（ａ）のＯＳＤは部分調整時には良いが、全体調整時には、ＯＳＤ８０１の倍率色収差によりパターン形状が歪んでいる部分をみてユーザーは調整してしまう可能性があり、不要なシフトもしくは回転の調整を行ってしまう可能性がある。
【００４２】
このため、全面調整後に行う部分調整の手間が増える方向に調整しうる。これを鑑みて、本実施例では図８（ａ）と異なるＯＳＤを表示する。図８（ａ）は部分調整用のＯＳＤとし、全体調整用のＯＳＤとしては図８（ｂ）〜（ｅ）が例となる。詳細は後述する。
【００４３】
図６のフローチャートにおいて、全面調整を開始すると、初めにＳ６０１で制御部１０２がＲＯＭ１１１に記憶してある光軸位置を取得する。本実施例では、光軸位置は画面中央とし、レンズシフトの初期位置は光軸位置にあるとする。液晶パネル１０７の解像度が１９２０×１０８０の場合、画面中央は（９６０、５４０）であり、この値をパネル上の光軸位置として記憶する。レンズシフトしている場合には、レンズ移動量と液晶パネル１０７の画素位置を関連付けて記憶しておく。例えば、電動のレンズシフトであれば、１メモリ１画素としておき、水平に＋１０メモリ、垂直に＋５メモリであれば、（９７０、５４５）と記憶する。
【００４４】
Ｓ６０２は、ユーザーが操作部１０６の入力でレジストレーションずれの調整基準色を決定する、もしくは予め設定してある調整基準色を読み出す。調整基準色の対象となるのは、パネル毎の色である。例えば、ＲＧＢ表示であれば、Ｒ／Ｇ／Ｂである。
【００４５】
Ｓ６０３で全面調整用ＯＳＤをＳ６０１で取得した光軸位置とＳ６０２で取得した調整基準色に基づき、ＯＳＤの特定の点が光軸８０３と重なるように制御部１０２がＯＳＤ生成部２０５に生成させる。全面調整用ＯＳＤとは、例えばクロスパターンである。ＯＳＤの線の幅は１画素が良い。図８（ｂ）にクロスパターンのＯＳＤの例を示す。Ｓ６０２で取得した調整基準色のパネルに対し、Ｓ６０１で取得したパネル上の光軸８０３にＯＳＤ８０４の交点が重なるようにＯＳＤを表示する。
【００４６】
クロスパターンの交点を光軸８０３に重ねることで、クロスパターンの線分は、像高方向の線分となる。像高方向の直線は倍率色収差の影響を受けないため、倍率色収差を意識せずに、水平方向もしくは垂直方向、回転方向のシフトによるレジストレーションずれを正しく調整することができる。調整基準色以外の色は、調整基準色のＯＳＤと同じＯＳＤを表示する。
【００４７】
他のＯＳＤの例として、図８（ｃ）〜（ｅ）がある。図８（ｃ）は、クロスパターンを実線とし、部分調整時に用いる水平垂直のクロスハッチパターンを点線もしくは線の表示階調を変更もしくは点滅させるなどして、クロスパターンと表示方法を変えたＯＳＤ８０５である。図８（ｄ）は、クロスパターンと光軸８０３を中心とした円を重ねたＯＳＤ８０６である。倍率色収差は像高方向に発生するため、同心円状にレジストレーションずれが発生する。水平方向もしくは垂直方向、回転方向のシフトによるレジストレーションずれの調整中に倍率色収差によるレジストレーションずれを同時に確認したい場合に適したＯＳＤである。
【００４８】
また、図８（ｂ）、（ｃ）、（ｄ）は光軸位置を投影面の中心としたが、図８（ｅ）のように投影画面下の場合もある。このときはＯＳＤ８０７のように光軸８０３から放射状に延びる直線のＯＳＤを表示してもよい。図８（ｂ）〜（ｅ）のＯＳＤを用いてユーザーは２本以上の像高方向の線分と線分の交点を見ながら位置調整をすることで、水平方向もしくは垂直方向、回転方向のシフトによるレジストレーションずれの調整を正しく行うことができる。
【００４９】
Ｓ６０４はユーザーが操作部１０６より水平方向、垂直方向、θ回転方向の移動をさせたかを制御部１０２が検出する。検出するとＳ６０５へ移行する。検出するまで待つ。Ｓ６０５では、設定された全面調整の移動量を制御部１０２が変形処理部２０３へ送信し、変形処理部２０３に格納されている各格子点の座標値に設定された移動量に従い、画像全体をシフトまたは回転する。
【００５０】
Ｓ６０６では、全面調整が終了したかどうかを制御部１０２が操作部１０６からの入力により判定し、終了が選択された場合には、Ｓ６０７へ移行する。終了でない場合にはＳ６０４へ移行する。ユーザーが終了を選択するのは、図８（ｂ）〜（ｅ）のテストパターンにおいて、２本以上の像高方向の線分と線分の交点が全色重なった場合となる。Ｓ６０７では、制御部１０２がＯＳＤ生成部２０５の生成したＯＳＤを消去させ、画像処理部１０３から入力信号を画像処理した画像を出力する。
【００５１】
以上で、レジストレーションずれ全面調整時を終了する。本実施例では、ＯＳＤは太さ１画素の図８（ｂ）〜（ｅ）記載のＯＳＤを用いたが、パターンはこれに限定しない。例えば、光軸上に１画素サイズの点もしくは２画素サイズ以上の正方形パターンを表示し、１画素以上間隔を空けた所定の位置から、光軸から像高方向に向かう線分パターンをＯＳＤとして表示してもよい。また、本実施例では、光軸から像高方向へ向かう線分を斜め線で説明したが、水平、垂直線でも構わない。図８（ｃ）のＯＳＤは、全体調整時には実線と破線を入れ替えて表示するとよい。クロスハッチの破線パターンはクロスパターンの実線と階調値を異ならせた実線パターンとしても良い。
【００５２】
また、本実施例では光軸位置は予め不図示のＲＯＭに記憶しているとしたが、撮像手段を用いて光軸位置を検出しても良い。例えば、任意の位置にドットを表示し、投影光学系１１０のズーム率を変えながら投影画像を撮像手段で取得する。ズーム率の変更前後のドットの動きベクトルの延長線が重なった部分が光軸と推定できる。
【００５３】
また、本実施例では、画像処理によって画面全体の位置調整を行ったが、液晶駆動部１０４による位置調整を組み合わせてもよい。また、本実施例は、位置調整手段を変形処理を用いた電気的補正として説明したが、これに限らず、メカ的にパネルを位置調整する手段を用いても良い。電動としても良いし、手動調整でも良い。
【００５４】
以上、本発明の好ましい実施形態について説明したが、本発明はこれらの実施形態に限定されず、その要旨の範囲内で種々の変形及び変更が可能である。
【符号の説明】
【００５５】
１０：投影装置
１０２：制御部
１０３：画像処理部
１０５：通信部
１０６：操作部
２０３：変形処理部
２０５：ＯＳＤ生成部
【図１】
2019045694.tif 000003
【図２】
2019045694.tif 000004
【図３】
2019045694.tif 000005
【図４】
2019045694.tif 000006
【図５】
2019045694.tif 000007
【図６】
2019045694.tif 000008
【図７】
2019045694.tif 000009
【図８（ａ）】
2019045694.tif 000010
【図８（ｂ）】
2019045694.tif 000011
【図８（ｃ）】
2019045694.tif 000012
【図８（ｄ）】
2019045694.tif 000013
【図８（ｅ）】
2019045694.tif 000014